(57)【要約】【課題】遊技球の転げ落ちる動作に、引き上げまたは引き上げてから吊り下げるといった斬新な動作を加えることにより、遊技球の転動動作に変化に富んだ面白みを与え、遊技の興趣が高められるようにした弾球遊技機の可変表示装置を提供する。【解決手段】遊技球Ｂが受け入れられてから転動するステージ部２１と、磁石２６を有しステージ部２１の上方に配置され往復移動する可動部材２７と、ステージ部２１に受け入れられた遊技球Ｂ１，Ｂ２を所定の位置から遊技盤４面に戻す球通路部３９とからなり、移動する可動部材２７とステージ部２１上面との間には該ステージ部２１を転動する遊技球Ｂが磁力により可動部材２７へ吸着される引上げ部位Ａが一時的に成形され、引上げ部位Ａで偶然的に可動部材２７に吸着された遊技球Ｂ１は該可動部材２７と共に宙吊り状態で移動し球通路部３９に導かれるようにした。【選択図】図２
2005177083.tif 000002
【特許請求の範囲】
【請求項１】
遊技盤面を流下する遊技球が受け入れられてから転動するステージ部と、磁石を有し前記ステージ部の上方に配置されその長手方向に沿って往復移動する可動部材と、前記ステージ部に受け入れられた遊技球を所定の位置から前記遊技盤面に戻す球通路部とからなり、
前記可動部材と前記ステージ部上面との間には該ステージ部を転動する遊技球が磁力により可動部材へ吸着される引上げ部位が一時的に成形され、前記引上げ部位で偶然的に前記可動部材に吸着された遊技球は該可動部材と共に宙吊り状態で移動し前記球通路部に導かれるようにした弾球遊技機の可変表示装置。
【請求項２】
遊技盤面を流下する遊技球が受け入れられてから転動する雛段状のステージ部と、上のステージ部と下のステージ部との間に配置されかつ露出する外周面が該上のステージ部上面と該下のステージ部上面とに接するようにして該上のステージ部側へ回転し周面には磁石が配置される回転体と、前記ステージ部に受け入れられた遊技球を所定の位置から遊技盤面に戻す球通路部と、前記上のステージ部の上方にその長手方向に沿って配置され水平面に対し前記球通路部側へ僅かに下傾し前記回転体の磁石より磁力の強い磁石からなる誘導部材とからなり、
前記誘導部材と前記回転体に対応する前記上のステージ部上面との間に遊技球が前記誘導部材へ磁力により吸着される引上げ部位が成形され、前記下のステージ部を転動する遊技球が前記回転体の磁石に偶然的に吸着されたとき、その遊技球はそのまま前記回転体の回転と共に上方へ引き上げられて前記誘導部材に吸着され、更に前記誘導部材の下面を宙吊り状態で移動して前記球通路部に導かれるようにした弾球遊技機の可変表示装置。
【発明の詳細な説明】
【技術分野】
【０００１】
この発明は、弾球遊技機における遊技盤面に装着され文字、数字等の情報を変動表示させるようにした可変表示装置に関するものである。
【背景技術】
【０００２】
一般的に、弾球遊技機の一種であるフィーバータイプと称されるパチンコ遊技機は、遊技盤面のほぼ中央に文字、数字等の情報を変動表示するようにした可変表示装置が装着され、また、その下方に始動入賞口が配置されると共に入賞装置が配置されている。そして、前記始動入賞口にパチンコ球が入賞すると、前記情報が変動表示し一定の時間経過後に停止して特定の表示を示す。この表示が、例えば「７７７」といった数字を示し遊技者にとって有利な特別遊技状態になったとき、一定の条件の下で入賞装置の開閉扉を所定回数開成させ一度に多くの入賞球が得られるようにしている。よって、遊技者は特別遊技状態になる確率を高くするため前記始動入賞口に多くのパチンコ球が入ることを期待している。
【０００３】
このことから、前記可変表示装置には、その下部にパチンコ球を受け入れてから容易に遊技盤面に戻さないように緩やかに転動させ、少しの間遊技者に始導入賞口へ入賞するといった期待感と入賞しないかもしれないという不安感を交錯させて抱かせるようにし、これにより遊技の興趣を高めるようにしたステージ部が設けられている（例えば、特許文献１参照。）。
【特許文献１】特開２００１−１４９５４６号公報(第３−５頁、図２)
【発明の開示】
【発明が解決しようとする課題】
【０００４】
しかしながら、前記特許文献１の弾球遊技機の可変表示装置にあっては、ステージ部が雛段状に成形されており、受け入れられたパチンコ球は常に上のステージ部から下のステージ部へ転動しながら落ち、最終的にその前縁から遊技盤面に戻される。このように、ステージ部に受け入れられたパチンコ球は、必ず上から下のステージ部へ転げ落ちるといった単調な動作のみであって、その動きがマンネリ化し面白さに欠け遊技者に飽きられているにが現状であり、この点に関し遊技の興趣を高める必要性が叫ばれている。
【０００５】
そこで、本発明は上記課題に鑑みてなされたもので、遊技球の転げ落ちる動作に、引き上げまたは引き上げてから吊り下げるといった斬新な動作を加えることにより、遊技球の転動動作に変化に富んだ面白みを与え、もって遊技の興趣が一段と高められるようにした弾球遊技機の可変表示装置を提供することを目的とするものである。
【課題を解決するための手段】
【０００６】
かかる目的を達成するため本発明に係る弾球遊技機の可変表示装置は、遊技盤面を流下する遊技球が受け入れられてから転動するステージ部と、磁石を有しステージ部の上方に配置されその長手方向に沿って往復移動する可動部材と、ステージ部に受け入れられた遊技球を所定の位置から遊技盤面に戻す球通路部とからなり、可動部材とステージ部上面との間には該ステージ部を転動する遊技球が磁力により可動部材へ吸着される引上げ部位が一時的に成形され、引上げ部位で偶然的に可動部材に吸着された遊技球は該可動部材と共に宙吊り状態で移動し球通路部に導かれるようにした構成からなる。
【０００７】
また、同可変表示装置は、遊技盤面を流下する遊技球が受け入れられてから転動する雛段状のステージ部と、上のステージ部と下のステージ部との間に配置されかつ露出する外周面が該上のステージ部上面と該下のステージ部上面とに接するようにして該上のステージ部側へ回転し周面には磁石が配置される回転体と、ステージ部に受け入れられた遊技球を所定の位置から遊技盤面に戻す球通路部と、上のステージ部の上方にその長手方向に沿って配置され水平面に対し球通路部側へ僅かに下傾し回転体の磁石より磁力の強い磁石からなる誘導部材とからなり、誘導部材と回転体に対応する上のステージ部上面との間に遊技球が誘導部材へ磁力により吸着される引上げ部位が成形され、下のステージ部を転動する遊技球が回転体の磁石に偶然的に吸着されたとき、その遊技球はそのまま回転体の回転と共に上方へ引き上げられて誘導部材に吸着され、更に誘導部材の下面を宙吊り状態で移動して球通路部に導かれるようにした構成からなる。
【発明の効果】
【０００８】
本発明の請求項１乃至２に係る発明は、いずれもステージ部に受け入れられた遊技球が、可動部材または誘導部材に磁力により吸着され宙吊り状態で移動したり、回転体により下のステージ部から上のステージ部へ再度引き上げられるなど従来にない極めて斬新な動作をし変化に富んだ面白みが与えられることになるので、遊技の興趣が一段と高められるという効果がある。
【０００９】
また、可動部材または誘導部材に吸着された遊技球は宙吊り状態で移動して所定の位置から遊技盤面に戻す球通路部に導かれるので、遊技者にはその遊技球が始動入賞口にほぼ確実に入賞するだろうという期待感が高められ、安心感も抱かせることができるという効果も有る。
【発明を実施するための最良の形態】
【００１０】
以下、本発明に係る弾球遊技機の可変表示装置の実施の形態を図面に基づき説明する。弾球遊技機にはパチンコ遊技機、雀球遊技機、アレパチ機、アレンジボール機があるが、この内パチンコ遊技機について説明する。
【００１１】
先に、本願発明が適用されるパチンコ遊技機について説明する。図６は本発明が適用されるパチンコ遊技機の正面図である。図において、１はパチンコ遊技機Ｐにおける木製の外枠であって、縦長方形枠状に成形されている。その前面に前枠２がその一側上下部を前記外枠１の一側上下部に設けた軸支部３，３に軸支して回動自在に装着される。前記前枠２の裏側に遊技盤４が配置固定されている。前記前枠２の前面には、遊技盤４の遊技部４ａを覆う２枚の透明板であるガラス板５を備えた透明板保持枠６が回動可能に装着される。また、透明板保持枠６の下方には前板７が回動自在に装着される。
【００１２】
前記前板７の前面に、貯留される遊技球としてのパチンコ球を発射部（図示せず。）に供給するための打球供給皿８が装着されている。また、前枠２の下部前面には、前記打球供給皿８から溢れるパチンコ球を貯留する余剰球受皿９が装着されている。１０は前記前枠２の下部前面の一側に設けられ、発射部から打ち出されるパチンコ球の打球力の強弱を調節する操作ハンドルである。
【００１３】
前記遊技盤４の前面に、遊技部４ａを囲うように内側ガイドレール１１ａと外側ガイドレール１１ｂとが渦巻き状に敷設される。前記遊技部４ａには、ほぼ中央に表示部１２ａを備えた本発明に係る可変表示装置１２が配置され、また、その下方にパチンコ球の入賞により前記表示部１２ａの文字、数字、図形等の情報を変動表示させる始動入賞口１３が配置される。更に、その下方に位置して前記変動した情報が一定の時間経過後に停止して特定の表示を示し、遊技者にとって有利な特別遊技状態になったとき、一定の条件の下で開閉扉１４ａを所定回数開成させて一度に多くの入賞球が得られる入賞装置１４が配置される。また、１５,１５はその両側に配設される一般入賞口である。
【００１４】
次に、前記可変表示装置１２について詳しく説明する。図１は可変表示装置の正面図、図２は要部の部分斜視図である。この可変表示装置１２は、遊技盤４面に当接させる取付基板１６を有し、その中央に開口１７が開設されている。取付基板１６の前面に開口１７の上縁を覆うようにして装飾部材１８が装着されている。また、取付基板１６の裏側に前面の表示部１２ａが前記開口１７に臨むようにして装置本体１９が配置されている。これにより、遊技者は前記開口１７を介して表示部１２ａを見ることができるようになっている。
【００１５】
前記表示部１２ａは、取付基板１６より後方へ奥まって位置しており、その下方に腰板部２０が張設され、その下部であって取付基板１６との間にステージ部２１が成形されている。また、開口１７の両外側であって取付基板１６の後側にワープ通路２２，２２が設けられている。各ワープ通路２２は上端の流入口２３ａが前記装飾部材１８の両側に配され、下端の流出口２３ｂが開口１７の周縁から後方へ延設される枠板に開設される。そして、遊技盤４面を流下するパチンコ球Ｂであってワープ通路２２に流入したパチンコ球Ｂは、ステージ部２１に受け入れられるようになっている。なお、他に開口１７から飛入するパチンコ球Ｂもステージ部２１に受け入れられる。
【００１６】
前記ステージ部２１は、上面が僅かに前側へ下傾する上のステージ部２１ａと下のステージ部２１ｂとにより雛段状に成形され、いずれも上面がその長手方向に沿って波打っている。すなわち、両側に隆起部２４，２４が設けられ、各隆起部２４を挟んだ両側前縁にパチンコ球Ｂが通過し得る間隔を離して球止片２５が突設され、この球止片２５を越えてパチンコ球Ｂが落下し得ないようになっている。また、前記流出口２３ｂは上のステージ部２１ａと連なっている。
【００１７】
上のステージ部２１ａの上方に吊下用の磁石２６を下面に取着した可動部材２７が配置される。この可動部材２７は、図３に示すように腰板部２０に上のステージ部２１ａの長手方向に沿って水平に設けられたガイド溝２８から前側へ突出する支持杆２９に固着されている。該支持杆２９には腰板部２０の後側で駆動モータ３０が取着されている。また、駆動モータ３０から後方へ突出するモータ軸３１にピニオン３２が固着され、このピニオン３２が腰板部２０の後側上部に配設されたラック３３に噛合している。そして、駆動モータ３０が正・逆方向へ切替え駆動することにより、可動部材２７がガイド溝２８に沿って左右に往復移動する。
【００１８】
前記上のステージ部２１ａと下のステージ部２１ｂとの間であって各隆起部２４に対応位置して回転体３４が配置される。各回転体３４は、図３に示すように上のステージ部２１ａと下のステージ部２１ｂとに亘って開設された取付孔３５に下側から臨んでおり、該取付孔３５を介して露出する外周面が、下のステージ部２１ｂ上面と上のステージ部２１ａ上面とに接している。また、回転体３４は、両端部がステージ部２１に保持される支軸３６により回転自在に軸支され、その一端に連結される駆動モータ３７の駆動により、前記取付孔３５を介して露出する外周面が上のステージ部２１ａ側へ回転するようになっている。更に、回転体３４の周面であって支軸３６と直交しかつ回転体３４の中心を通る円周に互いに対向位置して一対の引上用の磁石３８，３８が設けられている。前記吊下用の磁石２６の磁力は各引上用の磁石３８よりも強く設定してある。
【００１９】
前記各隆起部２４の上面とその上方へ可動部材２７がきたときの吊下用の磁石２６との間隔はパチンコ球の直径より僅かに長い寸法に設定されている。また、その間には図３に示すように上のステージ部２１ａを転動するパチンコ球Ｂ１が隆起部２４の上面に位置し、または下のステージ部２１ｂを転動するパチンコ球Ｂ２が偶然的に回転体３４の磁石３８に吸着されそのまま回転体３４の回転と共に上方へ引き上げられ同じく隆起部２４の上面に位置し、同時にその上方を可動部材２７が通過するとき、一時的に前記各パチンコ球Ｂ１，Ｂ２を吊下用の磁石２６に磁力により吸着させる引上げ部位Ａが成形される。吊下用の磁石２６に吊下げられたパチンコ球Ｂ１，Ｂ２は宙吊り状態で移動される。
【００２０】
ステージ部２１の中央部には、図４に示すようにステージ部２１に受け入れられたパチンコ球Ｂを遊技盤４面に戻す球通路部３９が成形されている。球通路部３９上端の球入口３９ａは上のステージ部２１ａに設けられその周囲には囲い壁４０が周設され、前記可動部材２７に吊下げられるパチンコ球Ｂ１，Ｂ２のみ流入し、上のステージ部２１を転動するパチンコ球Ｂは流入し得ないようになっている。前記球通路部３９の流出口３９ｂは、取付基板１６であって所定の位置に開設されている。所定の位置とは、その直下方に始動入賞口１３が配置される位置である。これにより、球通路部３９に流入したパチンコ球Ｂ１，Ｂ２は高い確率で始動入賞口１３に入賞することになる。
【００２１】
前記球入口３９ａの上方であって腰板部２０の前面に正面略Ｔ字型の切離部材４１が突設されている。切離部材４１は、左右の突片４１ａ，４１ａが宙吊り状態で移動するパチンコ球Ｂ１，Ｂ２と吊下用の磁石２６との間に介入して、パチンコ球Ｂ１，Ｂ２を強制的に分離させて球入口３９ａに流入させるためである。
【００２２】
可変表示装置１２は上記構成からなり、遊技中は可動部材２７がガイド溝２８に沿って左右に往復移動している。遊技盤４面を流下するパチンコ球Ｂでワープ通路２２に入ったパチンコ球Ｂまたは開口１７を介して飛入したパチンコ球Ｂは、ステージ部２１に受け入れられる。
【００２３】
この内、上のステージ部２１ａに受け入れられたパチンコ球Ｂは、隆起部２４を超えたりしてその上面を転動し球止片２５の無い前縁から下のステージ部２１ｂに落下する。その間、隆起部２４上方の引上げ部位Ａで偶然的に可動部材２７に吸着された遊技球Ｂ１は、該可動部材２７と共に宙吊り状態で中央へ移動し、切離部材４１により切離されて球通路部３９に導かれる。球通路部３９に流入したパチンコ球Ｂ１は球出口３９ｂから遊技盤４面に戻され下方の始動入賞口１３に入る機会が多くなる。
【００２４】
下のステージ部２１ｂに受け入れられたパチンコ球Ｂは、その上面を転動してその前縁から遊技盤４面に落下する。これらのパチンコ球Ｂは前記始動入賞口１３に入る機会が少ない。また、前記下のステージ部２１ｂを転動するパチンコ球Ｂであって偶然的に回転体３４の磁石３８に吸着されると、そのパチンコ球Ｂはそのまま回転体３４の回転と共に上方へ引き上げられ再度上のステージ部２１ａを転動するか、または通過する可動部材２７に偶然的に吸着されて宙吊り状態で移動することになる。この移動するパチンコ球Ｂ２は球通路部３９に流入する。
【００２５】
このように、ステージ部２１に受け入れられたパチンコ球Ｂが可動部材２７に磁力により吸着され宙吊り状態で移動したり、回転体３４により下のステージ部２１ｂから上のステージ部２１ａへ再度引き上げられるなど従来にない極めて斬新な動作をするから、変化に富んだ面白みが与えられる。なお、ステージ部２１が一段の場合は、可動部材２７のみ使用されるが、二段以上であれば回転体３４も使用できることになる。
【００２６】
図５は、他の実施の形態に係る可変表示装置の正面図である。この可変表示装置４２は、本発明に係る可変表示装置１２とその構成がほとんど同じなので、同一部位は同一番号を附すことにより詳しい説明は省略する。すなわち、この可変表示装置４２では、可動部材２７の替わりに上のステージ部２１ａの上方であって腰板部２０の前面にその長手方向に沿って回転体３４の磁石３８より磁力の強い磁石からなる棒状の誘導部材４３が配置される。誘導部材４３は中央の切離部材４１の両側に配置され、いずれも水平面に対し球通路部３９側へ僅かに下傾している。
【００２７】
また、前記各隆起部２４の上面と誘導部材４３との間隔はパチンコ球Ｂの直径より僅かに長い寸法に設定されており、その間に前記と同様に下のステージ部２１ｂを転動するパチンコ球Ｂ３が偶然的に回転体３４の磁石３８に吸着されそのまま回転体３４の回転と共に上方へ引き上げられて隆起部２４の上面に位置したとき、前記パチンコ球Ｂ３を誘導部材４３に磁力により吸着させる引上げ部位Ａ１が成形される。そして、誘導部材４３に吊下げられたパチンコ球Ｂ３は宙吊り状態で中央に移動して球通路部３９に導かれる。
【００２８】
なお、この場合、隆起部２４上面には下のステージ部２１ｂから回転体３４により引き上げられたパチンコ球Ｂ３のみ誘導部材４３に吸着されて吊下げられるようにする。仮に、流出口２３ｂを介して上のステージ部２１ａを転動するパチンコ球Ｂが隆起部２４にその側方から位置するとすれば、そのほとんどのパチンコ球Ｂが誘導部材４３に吸着されてしまうので、ゲーム性が乏しくなる。このため、特に隆起部２４の側縁部であってワープ通路２２の流出口２３ｂ側にパチンコ球が隆起部２４に上がるのを阻止する阻止部材４４を設けることが好ましい。
【００２９】
この場合も、ステージ部２１に受け入れられたパチンコ球Ｂが誘導部材４３に磁力により吸着され宙吊り状態で移動したり、回転体３４により下のステージ部２１ｂから上のステージ部２１ａへ再度引き上げられるなど従来にない極めて斬新な動作をすることから、変化に富んだ面白みが与えられる。なお、ステージ部２１は二段以上のときに誘導部材４３と回転体３４が使用される。
【図面の簡単な説明】
【００３０】
【図１】本発明に係る可変表示装置の正面図。
【図２】同要部の部分斜視図。
【図３】同側面断面図。
【図４】同側面断面図。
【図５】他の実施の形態に係る可変表示装置の正面図。
【図６】本発明が適用されるパチンコ遊技機の正面図。
【符号の説明】
【００３１】
４                    遊技盤
１２                  可変表示装置
２１                  ステージ部
２６                  磁石
２７                  可動部材
３９                  球通路部
Ａ                    引上げ部
Ｂ，Ｂ１〜Ｂ３        遊技球（パチンコ球）
Ｐ                    パチンコ遊技機
【図１】
2005177083.tif 000003
【図２】
2005177083.tif 000004
【図３】
2005177083.tif 000005
【図４】
2005177083.tif 000006
【図５】
2005177083.tif 000007
【図６】
2005177083.tif 000008